(57)【要約】【課題】大型化が避けられ、使い勝手もよい状態で画像表示手段が配置可能なカメラを提供する。【解決手段】本カメラは、回動操作可能なモニタ装置１０を有しており、モニタ装置１０は、カメラ外装体２の背面のファインダ接眼枠４を跨いで左右方向の回動支軸１４，１５に回動可能に支持される回動支持体１１を有し、回動支持体１１には、回動支軸１４，１５に直交する回動支軸１６が固定されており、回動支軸１６には、撮影画像が表示されるＬＣＤ表示部１３を有する表示枠１２が回動可能に取り付けされている。表示枠１２は、回動支軸１４，１５中心に回動操作可能で、かつ、回動支軸１６中心に回動操作可能である。【選択図】図１
2005101779.tif 000002
【特許請求の範囲】
【請求項１】
カメラ本体に設けられたファインダと、
上記ファインダを跨くように上記ファインダの接眼開口の側面それぞれに位置する第１の回動支軸と、
画像情報を表示する画像表示手段を有し、上記第１の回転支軸により回動する回動部材と、
を有することを特徴とするカメラ。
【請求項２】
カメラ本体に設けられたファインダと、
上記ファインダを跨くように上記ファインダの接眼開口の側面それぞれに位置する第１の回動支軸と、
上記第１の回転支軸により回動する回動部材と、
上記回動部材に設けられ、画像情報を表示する画像表示手段を、第１の回動支軸に対し直交するように回動させる第２の回動支軸と、
を有することを特徴とするカメラ。
【請求項３】
上記第１の回動支軸は、上記回動部材を１８０度以上の回動を与えられることを特徴とする請求項２記載のカメラ。
【請求項４】
上記第２の回動支軸は、上記回動部材を１８０度以上の回動を与えられることを特徴とする請求項２記載のカメラ。
【請求項５】
カメラ本体に設けられたファインダと、
上記ファインダの観察光軸を貫くように幾何学的な軸を有し、該軸の一部が機械的軸を形成して、該機械的軸がファインダ接眼開口の側面に位置する第一の回転支軸と、
画像情報を表示する画像表示手段を有する上記第１の回転支軸により回動する回動部材と、
を有することを特徴とするカメラ。
【発明の詳細な説明】
【技術分野】
【０００１】
本発明は、カメラにおける画像表示手段の支持構造に関する。
【背景技術】
【０００２】
通常、デジタルカメラ等にはＬＣＤよりなる画像表示装置がカメラ外装体の背面に配置されている。そして、上記画像表示装置がカメラ外装体に対して回動自在に取り付けられたものもある。例えば、特許文献１に開示のものは、カメラ外装体の背面上部の左右方向の第一支持軸で回動自在に支持される回転台を有しており、その回転台に設けられ、第一支持軸に直交する第二支持軸によって画像表示装置が回動自在に支持される。上記画像表示装置は、上記第一支持軸回りに回動操作できると同時に上記第二支持軸回りにも回動操作が可能である。
【特許文献１】特許文献１は、特開平７−３３６５７１号公報である。
【発明の開示】
【発明が解決しようとする課題】
【０００３】
しかし、特許文献１に開示のものには、光学ファインダが設けられていない構造のカメラである。光学ファインダを有するカメラには、特許文献１による画像表示装置の支持構造を採用することができないか、あるいは、ファインダ接眼部を画像表示装置の左，右いずれかの外側に配置せざるを得ない。従って、カメラの大型化を招いたり、あるいは、使い勝手上の問題も生じる。
【０００４】
本発明は、上述の問題点を解決するためになされたものであり、カメラの大型化が避けられ、使い勝手もよい状態で回動可能な画像表示手段が配置可能なカメラを提供することを目的とする。
【課題を解決するための手段】
【０００５】
本発明の請求項１記載のカメラは、カメラ本体に設けられたファインダと、上記ファインダを跨くように上記ファインダの接眼開口の側面それぞれに位置する第１の回動支軸と、画像情報を表示する画像表示手段を有し、上記第１の回動支軸により回動する回動部材とを有する。
【０００６】
本発明の請求項２記載のカメラは、カメラ本体に設けられたファインダと、上記ファインクを跨くように上記ファインダの接眼開口の側面それぞれに位置する第１の回動支軸と、上記第１の回動支軸により回動する回動部材と、上記回動部材に設けられ、画像情報を表示する画像表示手段を、第１の回動支軸に対し直交するように回動させる第２の回動支軸とを有する。
【０００７】
本発明の請求項３記載のカメラは、請求項２記載のカメラにおいて、上記第１の回動支軸は、上記回動部材を１８０度以上の回動を与えられる。
【０００８】
本発明の請求項４記載のカメラは、請求項２記載のカメラにおいて、上記第２の回動支軸は、上記回動部材を１８０度以上の回動を与えられる。
【０００９】
本発明の請求項５記載のカメラは、カメラ本体に設けられたファインダと、上記ファインダの観察光軸を貫くように幾何学的な軸を有し、該軸の一部が機械的軸を形成して、該機械的軸がファインダ接眼開口の側面に位置する第一の回転支軸と、画像情報を表示する画像表示手段を有する上記第１の回転支軸により回動する回動部材とを有する。
【発明の効果】
【００１０】
上述のように本発明によれば、カメラのファインダ接眼部に邪魔されずに配置された回動軸により回動する画像表示部を有しており、大型化を招くことのないカメラを提供できる。
【発明を実施するための最良の形態】
【００１１】
以下、図を用いて本発明の各実施形態について説明する。  
図１〜６は、本発明の第一の実施形態であるモニタ装置付きカメラを背面側からみた斜視図であり、モニタ装置の各回動姿勢を示している。図１は、モニタ装置収納状態（表示面隠蔽状態）を示す。図２は、図１のモニタ装置収納状態からある角度だけ回動させた状態を示す。図３は、モニタ装置を図２の状態から傾きを変えずに回動させて表示面観察可能とした状態を示す。図４は、モニタ装置を図３の状態から表示面観察可能状態のまま収納位置まで回動させた状態を示す。図５は、モニタ装置を図２の状態から直立位置まで回動させた状態を示す。図６は、モニタ装置を図５の状態からさらに前方に傾斜させた状態を示す。
【００１２】
本実施形態のモニタ装置付きカメラ１は、カメラ本体としてのカメラ外装体２の前面側（被写体側）２ａに配される撮影レンズ鏡筒部３と、カメラ外装体２の上面部に配されるレリーズ操作釦６、各種データ表示用ＬＣＤ表示窓部８、ストロボシュー９、モード設定用操作ダイヤル７と、観察光軸Ｏｂを有するファインダを形成し、カメラ外装体２の背面部２ｂの上部に配され、ファインダ接眼窓部５と、視度調節ツマミ２０とを有するファインダ接眼枠部４と、そのファインダ接眼枠部４の下方のカメラ外装体に形成されるモニタ装置収納用凹部２ｃと、モニタ装置収納用凹部２ｃに収納可能で、かつ、回動操作可能なモニタ装置１０とを有してなる。
【００１３】
モニタ装置１０は、回動部材である回動支持体１１と、撮影画像等を表示するための画像表示手段であるＬＣＤ表示部１３を有する表示枠１２と、一対の第一の回動支軸（第一の丁番）である回動支軸１４，１５とを有してなる。
【００１４】
回動支軸１４，１５は、ファインダ接眼枠部４の左右側にてカメラ外装体２に固定支持される水平方向に同軸上（Ｘ軸心）に対向する左右一対の軸である。この回動支軸１４，１５の一方、または、両方は、中空軸で形成され、ＬＣＤ表示部１３を駆動制御するための信号線および電源線がその中空軸内を挿通している。
【００１５】
回動支持体１１は、ファインダ接眼枠部４の左右側面を跨いで配置される部材であり、回動支軸１４，１５に回動自在に支持される軸受け部１１ａ，１１ｂを有し、また、支軸１４，１５に対して直交する方向の軸部であって、表示枠１２を回動自在に支持する第二の回動軸（第二の丁番）の回動支軸１６が固定されている。この回動支軸１６は、中空軸で形成され、ＬＣＤ表示部１３を駆動制御するための信号線および電源線がその中空軸内を挿通している。また、回動支持体１１のファインダ接眼枠部４を跨いだ部分には、ファインダが観察しにくくなるのを防止するための面取り形状の逃げ部１１ｃが設けられる。
【００１６】
表示枠１２は、回動支軸１６により回動自在に支持されており、図２に示すようにカメラ外装体２に対して回動支持体１１を介して水平方向に平行に配されたＸ軸心の回動支軸１４，１５を中心にした回動方向θ1 と、さらに、回動支軸１６を中心にした回動方向θ2 とに回動操作が可能である。この表示枠１２に保持されるＬＣＤ表示部１３の表示面１３ａは、回動支軸１６を含む面と平行な面とする。なお、表示枠１２の回動方向θ1 の最大回動範囲は、１８０度以上、例えば、２１０度であり、回動方向θ2 の最大回動範囲は、１８０度以上、例えば、２７０度である。
【００１７】
上述した構成を有する本実施形態のカメラ１において、カメラ非使用状態では、モニタ装置１０の表示枠１２と回動支持体１１とは、図１に示すようにカメラ外装体２のモニタ収納凹部２ｃに収納された回動位置にある。その状態でＬＣＤ表示部１３の表示面１３ａは、カメラ外装体２側に閉じられた状態にある。なお、この収納状態では、表示枠１２の先端部１２ａは、下方位置（Ｃ1 ）にあり、表示枠１２の一辺部１２ｂは、右方位置（ｄ1 ）にある。
【００１８】
カメラ１の撮影状態での撮影画面、または、再生画面をＬＣＤ表示部１３により観察する場合、まず、表示枠１２を＋θ1 方向へ、すなわち、上方へ回動させ（図２）、さらに、＋θ2 方向に１８０度回動させた後（図３）、表示枠１２をモニタ収納凹部２ｃに戻す（図４）。この状態は、カメラ背面側からＬＣＤ表示部１３の表示面１３ａを観察可能な通常の状態である。なお、図２の状態のままでは、表示面１３ａを下方から観察可能であり、ハイアングル撮影ができる。また、図３の状態のままでは、表示面１３ａを上方から観察可能であり、ローアングル撮影ができる。また、図３の状態より後方に傾斜させると（角度θ1 を９０度以下）、斜め上方から表示面１３ａを観察可能である。
【００１９】
図４の状態から表示枠１２を＋θ1 方向に１８０度回動させ、図５に示す直立状態（実線で示す）とすると、ＬＣＤ表示部１３の表示面１３ａをレンズ鏡筒２側である被写体側から観察可能となる。この状態では、撮影者自身が被写体となり、その撮影状態を観察しながら撮影を実行できる。なお、表示枠１２が上述のように＋θ2 方向に１８０度、かつ、＋θ1 方向に１８０度回動、あるいは、それ以上回動させた場合、表示面１３ａの表示画像は、カメラ内での画像処理部の処理により鏡像表示される。但し、この鏡像表示は、必ずしも行う必要はなく、被写体像を正像表示してもよい。
【００２０】
図５の状態から表示枠１２（実線で示す）をさらに＋θ1 方向に最大回動角度（回動角１８０度以上）位置、すなわち、表示枠先端１２ａを斜め前方位置（図２のＣ2 方向）まで回動させ、同時に表示枠１２を−θ2 方向に回動角１８０度戻すと図６のようにＬＣＤ表示部１３の表示面１３ａがカメラ背面側やや上方位置から観察可能となる。この状態では後方斜め上方からの表示面観察が可能、すなわち、ローアングル撮影が可能である。なお、表示枠１２を−θ2 方向に１８０度戻したとき、表示面１２ａの表示画像は、鏡像画像から正常な画像に切り換えられる。
【００２１】
図５の状態から表示枠１２を＋θ2 方向に回動角９０度だけ（＋θ2 方向の最大回動角の位置まで）回動させると、図５の２点鎖線に示すようにＬＣＤ表示部１３の表示面１３ａがカメラ左方側から観察可能な状態となる。
【００２２】
上述したように本実施形態のカメラ１によると、ＬＣＤ表示部を有する表示枠１２を回動可能に支持する回動支持体１１がファインダ接眼枠部４を跨いで回動可能に支持されていることからファインダ接眼窓５を通常の配設位置からずらすことなく、カメラ背面の上部中央に配置でき、しかも、カメラ外装体２の左右の寸法、さらには、上下方向にもその寸法を増やすことなく、２軸共に１８０度以上回動可能モニタ装置１０をカメラ背面部に配置することが可能となり、カメラの大型化が避けられる。
【００２３】
次に、本発明の第二の実施形態のモニタ装置付きカメラについて、図７，８を用いて説明する。  
図７は、本実施形態のカメラのモニタ装置収納状態を背面側から見た斜視図である。図８は、上記カメラのモニタ装置を直立位置まで回動させた状態を背面側から見た斜視図である。
【００２４】
本実施形態のモニタ装置付きカメラ２１は、第一の実施形態のカメラ１に対してモニタ装置の回動支持体が片持ちの支軸で回動支持されている点のみが異なっている。以下、異なる部分について説明する。
【００２５】
本実施形態のカメラ２１においては、図７に示すようにカメラ外装体２２の前面側に撮影レンズ鏡筒２が配置されている。カメラ外装体２２の背面側２２ｂの上部に観察光軸Ｏｂをもつファインダ接眼窓部５を有するファインダ接眼枠部４が配され、そのファインダ接眼枠部４の下方にモニタ装置収納用凹部２２ｃが設けられる。モニタ装置３０は、モニタ装置収納用凹部２２ｃに収納可能で、かつ、回動操作可能である。
【００２６】
モニタ装置３０は、回動部材である回動支持体３１と、撮影画像等を表示するための画像表示手段であるＬＣＤ表示部３３を有する表示枠３２と、単一の第一の回動支軸である回動支軸３４とを有してなる。
【００２７】
回動支軸３４は、ファインダ接眼枠部４の左側にてカメラ外装体２２に固定支持される水平方向に沿ったＸ軸心をもつ軸である。この回動支軸３４は、中空軸で形成され、ＬＣＤ表示部３３を駆動制御するための信号線および電源線がその中空軸内を挿通している。
【００２８】
回動支持体３１は、ファインダ接眼枠部４の左側にて回動支軸３４に回動自在に支持される軸受け部３１ａを有し、また、支軸３４に対して直交する方向の軸部であって、表示枠３２を回動自在に支持する第二の回動軸の回動支軸３５が固定されている。
【００２９】
回動支軸３５は、中空軸で形成され、ＬＣＤ表示部３３を駆動制御するための信号線および電源線がその中空軸内を挿通している。
【００３０】
表示枠３２は、回動支軸３５により回動自在に支持されており、図８に示すように前記表示枠１２と同様にカメラ外装体２２に対して回動支持体３１を介して回動支軸３４を中心にした回動方向θ1 と、さらに、回動支軸３５を中心にした回動方向θ2 とに回動操作が可能である。また、この表示枠３３に保持されるＬＣＤ表示部３３の表示面３３ａは、回動支軸３５を含む面と平行な面とする。また、表示枠３２の回動方向θ1 の最大回動範囲は１８０度以上、回動方向θ2 の最大回動範囲も１８０度以上とする。
【００３１】
本実施形態のカメラにおけるモニタ装置３０のＬＣＤ表示面３３ａの観察時における表示枠３２の回動操作状態は、前記第一の実施形態におけるモニタ装置１０の場合と同様の回動操作が可能である。
【００３２】
本実施形態のカメラ２１によると、第一の実施形態のカメラと同様の効果を奏し、特に回動支持体３１が単一の回動支軸３４のみで支持されているカメラ外装体２２の左右方向の長さを短くすることも可能となる。
【００３３】
なお、第一，二の実施形態のカメラにおける第一の回動支軸である回動支軸１４，１５、もしくは、３４と第二の回動支軸である回動支軸１６、もしくは、３５とは、それらの軸心は、必ずしも直交している必要はなく、軸心が互いに交わっていない回動支軸であっても同様の構成を適用可能である。
【００３４】
また、第一，二の実施形態のカメラにおいては、第二の回動軸として回動支軸１６、もしくは、回動支軸３５が設けられているが、本発明の要旨は、上記第二の回動軸を持たないモニタ装置を有するカメラにも適用可能である。
【００３５】
本発明の実施形態によれば、被写体としての人物側からもそのモニタ表示画面を観察可能であり、同時に撮影者も被写体側に移動せずにカメラ背面からファインダを覗いて構図を決定することが可能となる。
【００３６】
従って、第一および第二の実施形態のカメラにおいて、その構成は、次のように表現できる。すなわち、カメラ本体に設けられたファインダと、上記ファインダの図１，８に示すようにファインダから射出される観察光軸Ｏｂを貫くように幾何学的な軸を有し、該軸の一部が機械的軸を形成して、該機械的軸が上記ファインダ接眼開口の少なくとも一側面に位置する第一の回転支軸１４、もしくは、３４（第一の丁番）と、画像情報を表示する画像表示手段を有する上記第１の回転支軸により回動する回動部材とを有するカメラを提供できる。
【産業上の利用可能性】
【００３７】
本発明のカメラは、ファインダ接眼部に邪魔されずに配置した回動可能な画像表示部を有し、大型化を招くことのないカメラとして利用できる。
【図面の簡単な説明】
【００３８】
【図１】本発明の第一の実施形態であるモニタ装置付きカメラを背面側からみた斜視図であり、モニタ装置収納状態（表示面隠蔽状態）を示す。
【図２】第一の実施形態のカメラを背面側からみた斜視図であり、モニタ装置を収納状態から僅かに回動させた状態を示す。
【図３】第一の実施形態のカメラを背面側からみた斜視図であり、モニタ装置を図２の状態から傾きを変えずに回動させて表示面観察可能とした状態を示す。
【図４】第一の実施形態のカメラを背面側からみた斜視図であり、モニタ装置を図３の状態から表示面観察可能状態のまま、収納位置まで回動させた状態を示す。
【図５】第一の実施形態のカメラを背面側からみた斜視図であり、モニタ装置を図２の状態から直立位置まで回動させた状態を示す。
【図６】第一の実施形態のカメラを背面側からみた斜視図であり、モニタ装置を図５の状態から前方に傾斜させた状態を示す。
【図７】本発明の第二の実施形態であるモニタ装置付きカメラを背面側からみた斜視図であり、モニタ装置収納状態（表示面隠蔽状態）を示す。
【図８】第二の実施形態のカメラを背面側からみた斜視図であり、モニタ装置を直立位置まで回動させた状態を示す。
【符号の説明】
【００３９】
４  …ファインダ接眼枠部（ファインダ）
５  …ファインダ接眼窓（ファインダ接眼開口）
１４，１５，３４
…回動支軸（第一の回動支軸）
１６，３５
…回動支軸（第二の回動支軸）
１３，３３
…ＬＣＤ表示部（画像表示手段）
１１，３１
…回動支持体（回動部材）
代理人      弁理士    伊  藤    進
【図１】
2005101779.tif 000003
【図２】
2005101779.tif 000004
【図３】
2005101779.tif 000005
【図４】
2005101779.tif 000006
【図５】
2005101779.tif 000007
【図６】
2005101779.tif 000008
【図７】
2005101779.tif 000009
【図８】
2005101779.tif 000010